(57)【要約】【課題】オーバーシューズの持参の忘れを抑制しつつ、よりスムーズにオーバーシューズを着脱できるようにした靴を提供する。【解決手段】靴本体と、オーバーシューズユニットと、を備えた靴が提供される。前記靴本体は、人体の足に装着可能である。前記オーバーシューズユニットは、前記靴本体の外面に取り付けられる。前記オーバーシューズユニットは、収納空間を有する収納部と、前記収納空間内において前記収納部に取り付けられたオーバーシューズと、を有する。前記収納部は、前記オーバーシューズを前記収納空間内に収納可能であるとともに、前記オーバーシューズを前記収納空間に出し入れするための開口部を有する。前記オーバーシューズは、前記収納空間から取り出した状態において、前記靴本体の底部を覆うように前記靴本体に取り付け可能である。【選択図】図１
2019000293.tif 000002
【特許請求の範囲】
【請求項１】
人体の足に装着可能な靴本体と、
前記靴本体の外面に取り付けられたオーバーシューズユニットと、
を備え、
前記オーバーシューズユニットは、
収納空間を有する収納部と、
前記収納空間内において前記収納部に取り付けられたオーバーシューズと、
を有し、
前記収納部は、前記オーバーシューズを前記収納空間内に収納可能であるとともに、前記オーバーシューズを前記収納空間に出し入れするための開口部を有し、
前記オーバーシューズは、前記収納空間から取り出した状態において、前記靴本体の底部を覆うように前記靴本体に取り付け可能である靴。
【請求項２】
前記オーバーシューズユニットは、前記靴本体に着脱可能に取り付けられる請求項１記載の靴。
【請求項３】
前記靴本体及び前記オーバーシューズは、静電気帯電防止性を有する請求項１又は２に記載の靴。
【請求項４】
人体の足首に着脱可能に取り付けられるバンド部と、
前記バンド部を前記オーバーシューズユニットに接続するコードと、
をさらに備え、
前記オーバーシューズは、静電気帯電防止性を有し、
前記バンド部は、足首に取り付けられた状態において、人体と電気的に接続され、
前記コードは、前記バンド部と前記オーバーシューズとを電気的に接続する請求項１又は２に記載の靴。
【請求項５】
前記オーバーシューズは、防水性を有する請求項１〜４のいずれか１つに記載の靴。
【請求項６】
前記収納部は、前記開口部を開放した開状態と、前記開口部を閉塞した閉状態と、を切替可能な開閉機構を有するとともに、前記閉状態において前記収納空間内に収納した前記オーバーシューズに対する防水性を有する請求項１〜５のいずれか１つに記載の靴。
【請求項７】
前記オーバーシューズは、前記靴本体を挿通可能な挿通口を有する袋状の本体部と、前記挿通口を絞る弾性体と、を有し、前記弾性体を伸ばして前記挿通口に前記靴本体を挿通可能としつつ、前記挿通口を前記弾性体で絞って前記靴本体の前記本体部からの抜けを抑制することにより、前記靴本体に取り付けられる請求項１〜６のいずれか１つに記載の靴。
【請求項８】
前記オーバーシューズユニットは、前記靴本体の後端部に取り付けられる請求項１〜７のいずれか１つに記載の靴。
【請求項９】
前記オーバーシューズは、前記収納部に着脱可能に取り付けられる請求項１〜８のいずれか１つに記載の靴。
【発明の詳細な説明】
【技術分野】
【０００１】
本発明の実施形態は、オーバーシューズ付きの靴に関する。
【背景技術】
【０００２】
例えば、工場において、防塵性を求められる場合がある。また、工場においては、安全性も求められるため、このような場合には、屋外用の靴から屋内用の靴への履き替えが行われている。しかしながら、屋外用の靴と屋内用の靴とを逐一携帯することは、作業者などにとって非常に煩わしい。このため、屋外用の靴の上に被せて靴底を覆うことにより、屋外用の靴を着用したまま防塵性を確保できるようにしたオーバーシューズが知られている。
【０００３】
オーバーシューズは、屋内用の靴よりも小型であるとともに、折り畳むこともでき、屋内用の靴を携帯する場合と比べて携帯性を向上させることができる（例えば、特許文献１参照）。
【０００４】
また、オーバーシューズは、例えば、ビニールなどの防水性の材料を用いることにより、屋外において靴を防水する目的で用いられる場合もある。このように、オーバーシューズは、防塵性の確保のみならず、任意の靴に被せることにより、様々な用途で用いられている。
【０００５】
こうしたオーバーシューズでは、携帯性を向上できる反面、持参を忘れてしまう可能性がある。また、オーバーシューズにおいては、折り畳まれたオーバーシューズをバッグなどから取り出すのに手間取ったり、靴から取り外したオーバーシューズをバッグなどに収納するのに手間取ったりし、着脱に手間がかかってしまう場合がある。
【先行技術文献】
【特許文献】
【０００６】
【特許文献１】実開平７−１７１０２号公報
【発明の概要】
【発明が解決しようとする課題】
【０００７】
本発明の実施形態は、上記のような課題を解決するためになされたものであり、オーバーシューズの持参の忘れを抑制しつつ、よりスムーズにオーバーシューズを着脱できるようにした靴を提供する。
【課題を解決するための手段】
【０００８】
本発明の実施形態によれば、靴本体と、オーバーシューズユニットと、を備えた靴が提供される。前記靴本体は、人体の足に装着可能である。前記オーバーシューズユニットは、前記靴本体の外面に取り付けられる。前記オーバーシューズユニットは、収納空間を有する収納部と、前記収納空間内において前記収納部に取り付けられたオーバーシューズと、を有する。前記収納部は、前記オーバーシューズを前記収納空間内に収納可能であるとともに、前記オーバーシューズを前記収納空間に出し入れするための開口部を有する。前記オーバーシューズは、前記収納空間から取り出した状態において、前記靴本体の底部を覆うように前記靴本体に取り付け可能である。
【発明の効果】
【０００９】
オーバーシューズの持参の忘れを抑制しつつ、よりスムーズにオーバーシューズを着脱できるようにした靴を提供する。
【図面の簡単な説明】
【００１０】
【図１】第１の実施形態に係る靴を模式的に表す側面図である。
【図２】第１の実施形態に係る靴を模式的に表す側面図である。
【図３】第１の実施形態に係る靴を模式的に表す底面図である。
【図４】第１の実施形態に係るオーバーシューズユニットを模式的に表す底面図である。
【図５】第１の実施形態に係る靴を模式的に表す背面図である。
【図６】第１の実施形態に係る靴を模式的に表す背面図である。
【図７】第１の実施形態に係る靴を模式的に表す側面図である。
【図８】第１の実施形態に係る靴本体を模式的に表す背面図である。
【図９】図９（ａ）及び図９（ｂ）は、第１の実施形態に係るオーバーシューズを模式的に表す断面図である。
【図１０】図１０（ａ）及び図１０（ｂ）は、第１の実施形態に係るオーバーシューズユニットの変形例を模式的に表す断面図である。
【図１１】図１１（ａ）及び図１１（ｂ）は、第１の実施形態に係るオーバーシューズの変形例を模式的に表す断面図である。
【図１２】第１の実施形態に係る靴の変形例を模式的に表す側面図である。
【図１３】第２の実施形態に係る靴を模式的に表す側面図である。
【図１４】第２の実施形態に係る靴の変形例を模式的に表す側面図である。
【図１５】第２の実施形態に係るオーバーシューズユニットの変形例を模式的に表す側面図である。
【図１６】第３の実施形態に係る靴を模式的に表す側面図である。
【００１１】
以下に、各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【００１２】
（第１の実施形態）  
図１及び図２は、第１の実施形態に係る靴を模式的に表す側面図である。  
図３は、第１の実施形態に係る靴を模式的に表す底面図である。  
図４は、第１の実施形態に係るオーバーシューズユニットを模式的に表す底面図である。  
図５及び図６は、第１の実施形態に係る靴を模式的に表す背面図である。  
図１〜図６に表したように、靴１０は、靴本体１２と、オーバーシューズユニット１４と、を備える。
【００１３】
靴本体１２は、人体の足に装着可能である。靴本体１２は、例えば、つま先部分に金属板などの補強が入った安全靴である。靴本体１２は、安全靴に限ることなく、人が履いて使用する任意の靴でよい。
【００１４】
オーバーシューズユニット１４は、靴本体１２の外面に取り付けられる。オーバーシューズユニット１４は、例えば、靴本体１２の後端部（踵部分）に取り付けられる。オーバーシューズユニット１４の取付位置は、靴本体１２の後端部に限ることなく、靴本体１２の外面の任意の位置でよい。
【００１５】
オーバーシューズユニット１４は、収納部２０と、オーバーシューズ２２と、を有する。収納部２０は、収納空間２０ａを有する（図４参照）。収納部２０は、中空状である。
【００１６】
オーバーシューズ２２は、収納空間２０ａ内において収納部２０に取り付けられている（図４参照）。この例では、オーバーシューズ２２の後端部（踵部分）が、収納空間２０ａ内において収納部２０に取り付けられている。オーバーシューズ２２は、例えば、袋状である。オーバーシューズ２２には、例えば、ビニールなどの樹脂材料が用いられる。オーバーシューズ２２は、可撓性を有し、折り畳み可能である。
【００１７】
収納部２０は、図１や図５などに表したように、オーバーシューズ２２を収納空間２０ａ内に収納可能である。オーバーシューズ２２は、折り畳んだ状態で収納部２０の収納空間２０ａ内に収納される。また、収納部２０は、図６などに表したように、オーバーシューズ２２を収納空間２０ａに出し入れするための開口部２０ｂを有する。
【００１８】
オーバーシューズ２２は、図２に表したように、収納空間２０ａから引き出した状態において、靴本体１２の底部を覆うように靴本体１２に取り付け可能である。
【００１９】
靴１０では、例えば、屋外を移動する際には、オーバーシューズ２２を収納部２０の収納空間２０ａ内に収納しておき、靴本体１２の底部を地面などに直接接触させる。そして、屋内を移動する際には、オーバーシューズ２２を収納空間２０ａから引き出して靴本体１２に取り付け、オーバーシューズ２２を床面などに接触させる。これにより、靴１０（靴本体１２）を着用したまま、屋外から屋内又は屋内から屋外に移動することができる。
【００２０】
収納部２０は、開口部２０ｂを開放した開状態（図６に表した状態）と、開口部２０ｂを閉塞した閉状態（図５に表した状態）と、を切替可能な開閉機構２４を有する。この例において、収納部２０は、可撓性を有する袋状である。開閉機構２４は、いわゆる線ファスナーである。線ファスナーである開閉機構２４を閉じることにより、開口部２０ｂが閉塞され、収納空間２０ａ内に収納したオーバーシューズ２２が不意に収納空間２０ａから出てしまうことを抑制することができる。そして、線ファスナーである開閉機構２４を開き、開口部２０ｂを広げることにより、オーバーシューズ２２を収納空間２０ａに出し入れすることができる。
【００２１】
収納部２０の形状は、袋状に限ることなく、例えば、上方に開口したポケット状の形状などでもよい。この場合、収納部２０は、必ずしも可撓性を有していなくてもよい。開閉機構２４は、線ファスナーに限ることなく、収納部２０の開口部２０ｂを開閉可能な任意の機構でよい。例えば、収納部２０の形状がポケット状である場合、開閉機構２４は、ポケット状の収納部２０の上方に開口する開口部２０ｂを開閉する蓋やフラップなどでもよい。
【００２２】
収納部２０は、開閉機構２４を閉状態にした状態において、収納空間２０ａ内に収納したオーバーシューズ２２に対する防水性を有する。これにより、収納したオーバーシューズ２２が雨などで濡れてしまうことを抑制することができる。
【００２３】
収納部２０には、例えば、合成繊維の布などが用いられる。開閉機構２４には、より詳しくは、止水ファスナーが用いられる。これにより、収納部２０において、可撓性と防水性とを得ることができる。なお、本願明細書において、「防水性」とは、例えば、耐水圧が５００ｍｍ／ｃｍ２以上であることをいう。
【００２４】
但し、収納部２０は、必ずしも防水性を有していなくてもよい。また、収納部２０が防水性を有しない場合、開閉機構２４は、省略してもよい。
【００２５】
図７は、第１の実施形態に係る靴を模式的に表す側面図である。  
図８は、第１の実施形態に係る靴本体を模式的に表す背面図である。  
図７及び図８に表したように、オーバーシューズユニット１４は、靴本体１２に着脱可能に取り付けられる。図８では、オーバーシューズユニット１４を取り外した状態の靴本体１２の背面図を模式的に表している。
【００２６】
靴本体１２は、取付部材３０、３１を有する。オーバーシューズユニット１４は、取付部材３０、３１に着脱可能に取り付けられる被取付部材３２、３３を有する。オーバーシューズユニット１４は、被取付部材３２、３３を取付部材３０、３１に取り付けることにより、靴本体１２に着脱可能に取り付けられる。
【００２７】
取付部材３０、３１は、例えば、スナップボタンの雄側及び雌側の一方であり、被取付部材３２、３３は、例えば、スナップボタンの雄側及び雌側の他方である。取付部材３０、３１及び被取付部材３２、３３は、スナップボタンに限ることなく、オーバーシューズユニット１４を靴本体１２に着脱可能に取り付けることができる任意の部材でよい。また、この例では、２つの取付部材３０、３１及び２つの被取付部材３２、３３を設けている。取付部材の数及び被取付部材の数は、２つに限ることなく、１つでもよいし、３つ以上でもよい。
【００２８】
オーバーシューズユニット１４は、必ずしも靴本体１２に対して着脱可能でなくてもよい。オーバーシューズユニット１４は、靴本体１２に一体的に取り付けられていてもよい。
【００２９】
図９（ａ）及び図９（ｂ）は、第１の実施形態に係るオーバーシューズを模式的に表す断面図である。  
図９（ａ）及び図９（ｂ）では、前後方向及び上下方向と平行な平面で切断したオーバーシューズ２２の縦断面を模式的に表している。なお、前方とは、踵側からつま先側に向かう方向であり、後方とは、つま先側から踵側に向かう方向である。
【００３０】
図９（ａ）及び図９（ｂ）に表したように、オーバーシューズ２２は、本体部４０と、弾性体４２と、を有する。本体部４０は、靴本体１２を挿通可能な挿通口４０ａを有する袋状である。本体部４０には、前述のように、ビニールなどの樹脂材料が用いられる。本体部４０は、可撓性を有する。弾性体４２は、本体部４０の挿通口４０ａの近傍に設けられ、挿通口４０ａを絞る。ここで、「挿通口４０ａを絞る」とは、より詳しくは、可撓性を有する本体部４０の挿通口４０ａを、皺を寄せて窄めることにより、挿通口４０ａの開口の大きさを小さくすることである。弾性体４２は、例えば、挿通口４０ａに沿って延びる環状のゴムである。
【００３１】
オーバーシューズ２２は、図９（ｂ）に表したように、弾性体４２を伸ばすことにより、挿通口４０ａに靴本体１２を挿通可能とする。そして、オーバーシューズ２２は、挿通口４０ａを弾性体４２で絞って靴本体１２の本体部４０からの抜けを抑制することにより、靴本体１２に取り付けられる。
【００３２】
この例では、オーバーシューズユニット１４が、靴本体１２の後端部に取り付けられている。この場合、オーバーシューズ２２は、靴本体１２の踵部分を先に本体部４０内に挿入した後、弾性体４２を伸ばしながら靴本体１２のつま先部分を本体部４０内に挿入することにより、靴本体１２に取り付けられる。従って、この場合、挿通口４０ａの開口面積は、靴本体１２の底部（靴底）の面積よりも大きい。換言すれば、挿通口４０ａの開口面積は、靴本体１２を上方から見た面積よりも大きい。そして、環状の弾性体４２の自然長における開口面積（中央部の孔の面積）は、靴本体１２の底部の面積よりも小さい。これにより、前述のように、靴本体１２が挿通口４０ａに挿通可能になるとともに、弾性体４２によって靴本体１２の本体部４０からの抜けが抑制される。
【００３３】
オーバーシューズ２２の構成は、上記に限ることなく、任意の構成でよい。例えば、オーバーシューズ２２自体にゴムなどの弾性材料を用い、オーバーシューズ２２自体を伸縮させることにより、靴本体１２に取り付けられるようにしてもよい。
【００３４】
但し、上記のように、本体部４０と弾性体４２とでオーバーシューズ２２を構成することにより、例えば、オーバーシューズ２２の全体を弾性材料で構成する場合などと比べて、オーバーシューズ２２を折り畳み易くすることができる。すなわち、オーバーシューズ２２（オーバーシューズユニット１４）の携帯性を向上させることができる。また、オーバーシューズ２２の全体を弾性材料で構成する場合などと比べて、例えば、オーバーシューズ２２の製造コストを抑えることができる。
【００３５】
次に、本実施形態に係る靴１０の動作について説明する。  
本実施形態に係る靴１０では、靴本体１２に取り付けられたオーバーシューズユニット１４において、オーバーシューズ２２の収納部２０への収納、及びオーバーシューズ２２の収納部２０からの取り出しが可能な仕組みになっている。
【００３６】
例えば、屋外の移動においては、オーバーシューズ２２を収納部２０の収納空間２０ａ内に収納しておく。これにより、オーバーシューズ２２の持参忘れを抑制することができる。また、オーバーシューズユニット１４は、靴本体１２の後端部に取り付けられている。これにより、屋外の移動の際などに、オーバーシューズユニット１４が邪魔になってしまうことを抑制することができる。さらに、収納部２０は、防水性を有しており、収納したオーバーシューズ２２が雨などで濡れてしまうことを抑制することができる。
【００３７】
屋外から屋内に移動する際には、収納部２０からオーバーシューズ２２を取り出し、取り出したオーバーシューズ２２を靴本体１２に被せて使用する。この際、オーバーシューズユニット１４は、靴本体１２に取り付けられているため、バッグなどからオーバーシューズを取り出す場合などと比べて、オーバーシューズ２２を探す手間などを使用者にかけさせることがなく、オーバーシューズ２２を簡単に取り出すことができる。従って、オーバーシューズ２２の取り付けを、よりスムーズに行うことができる。
【００３８】
取り出したオーバーシューズ２２は、弾性体４２によって靴本体１２に取り付ける。屋内から屋外への移動の際など、取り出したオーバーシューズ２２を再び収納部２０に収納する場合には、弾性体４２が自動で縮むため、容易にオーバーシューズ２２を収納部２０に収納することができる。
【００３９】
また、靴本体１２に取り付けられた収納部２０の収納空間２０ａ内にオーバーシューズ２２を収納するだけでよく、オーバーシューズ２２を折り畳んでバッグなどに収納する場合と比べて、より簡単にオーバーシューズ２２の収納を行うことができる。従って、靴１０では、オーバーシューズ２２の持参の忘れを抑制しつつ、よりスムーズにオーバーシューズ２２の着脱を行うことができる。例えば、屋内と屋外との間の移動を、よりスムーズに行うことができる。あるいは、屋内において、防塵性を必要としないエリアと防塵性を必要とするエリアとの間の移動を、よりスムーズに行うことができる。
【００４０】
また、靴１０では、オーバーシューズユニット１４が、靴本体１２に着脱可能に取り付けられる。これにより、オーバーシューズユニット１４の交換や清掃を容易に行うことができる。
【００４１】
図１０（ａ）及び図１０（ｂ）は、第１の実施形態に係るオーバーシューズユニットの変形例を模式的に表す断面図である。  
図１０（ａ）及び図１０（ｂ）に表したように、オーバーシューズ２２は、収納部２０に対して着脱可能に取り付けてもよい。収納部２０は、取付部材３５を有する。オーバーシューズ２２は、取付部材３５に着脱可能に取り付けられる被取付部材４４を有する。オーバーシューズ２２は、被取付部材４４を取付部材３５に取り付けることにより、収納部２０に着脱可能に取り付けられる。
【００４２】
取付部材３５は、例えば、スナップボタンの雄側及び雌側の一方であり、被取付部材４４は、例えば、スナップボタンの雄側及び雌側の他方である。取付部材３５及び被取付部材４４は、スナップボタンに限ることなく、オーバーシューズ２２を収納部２０に着脱可能に取り付けることができる任意の部材でよい。
【００４３】
このように、オーバーシューズ２２を収納部２０に対して着脱可能とし、オーバーシューズ２２のみを交換可能とすることにより、オーバーシューズユニット１４全体を交換する場合と比べて、メンテナンスにかかる費用などを抑制することができる。なお、オーバーシューズ２２を収納部２０に対して着脱可能とする場合には、必ずしもオーバーシューズユニット１４（収納部２０）は、靴本体１２に対して着脱可能でなくてもよい。
【００４４】
取付部材３５は、例えば、オーバーシューズ２２の一部を挟んで保持するクリップ状の部材などでもよい。この場合、オーバーシューズ２２には、必ずしも被取付部材４４を設けなくてもよい。これにより、例えば、専用のオーバーシューズ２２を用意する必要がなくなり、市販のオーバーシューズを収納部２０に取り付けて使用することが可能になる。例えば、オーバーシューズユニット１４の製造やメンテナンスなどの費用を、より抑えることができる。
【００４５】
図１１（ａ）及び図１１（ｂ）は、第１の実施形態に係るオーバーシューズの変形例を模式的に表す断面図である。  
図１２は、第１の実施形態に係る靴の変形例を模式的に表す側面図である。  
図１１（ａ）は、図９と同様に、前後方向及び上下方向と平行な平面で切断したオーバーシューズ２２の縦断面を模式的に表している。  
図１１（ｂ）は、図１１（ａ）のＡ１−Ａ２線断面を模式的に表している。すなわち、図１１（ｂ）は、オーバーシューズ２２の横断面を模式的に表している。
【００４６】
図１１（ａ）及び図１１（ｂ）に表したように、この例では、オーバーシューズ２２が、弾性体４５、４６をさらに有している。弾性体４５は、本体部４０の周面に沿って前後方向に延び、本体部４０を前後方向に窄める。弾性体４６は、本体部４０の周面に沿って左右方向に延び、本体部４０を左右方向に窄める。すなわち、弾性体４５、４６は、本体部４０に対して十字状に設けられている。換言すれば、弾性体４５、４６は、挿通口４０ａに沿って環状に設けられた弾性体４２に対して十字状に設けられている。
【００４７】
なお、弾性体４５の延びる方向は、必ずしも前後方向と平行である必要はなく、本体部４０を少なくとも前後方向に窄めることができる任意の方向でよい。弾性体４５は、少なくとも前後方向に延びる成分を有していればよい。同様に、弾性体４６の延びる方向は、必ずしも左右方向と平行である必要はなく、本体部４０を少なくとも左右方向に窄めることができる任意の方向でよい。弾性体４６は、少なくとも左右方向に延びる成分を有していればよい。
【００４８】
この例において、本体部４０は、二重の袋状である。各弾性体４２、４５、４６は、例えば、本体部４０の内側の袋部と外側の袋部との間の空間内に設けられる。各弾性体４２、４５、４６の取付構造は、上記に限ることなく、任意の構造でよい。
【００４９】
この例では、オーバーシューズ２２を靴本体１２から取り外した後、オーバーシューズ２２から手を離すと、本体部４０が、弾性体４５によって前後方向に窄まるとともに、弾性体４６によって左右方向に窄まる。これにより、図１２に表したように、収納部２０の開口部２０ｂの近傍に、オーバーシューズ２２を小さくまとめることができる。
【００５０】
このように、この例では、弾性体４５、４６を設けることにより、オーバーシューズ２２を靴本体１２から取り外した後、オーバーシューズ２２から手を離すだけで、オーバーシューズ２２を開口部２０ｂの近傍に自動的にまとめることができる。従って、オーバーシューズ２２を折り畳む手間などを省くことができ、小さくまとまったオーバーシューズ２２を指で収納空間２０ａ内に押し込むことで、オーバーシューズ２２をより簡単に収納部２０に収納することができる。オーバーシューズ２２の着脱をよりスムーズに行うことができる。
【００５１】
（第２の実施形態）  
図１３は、第２の実施形態に係る靴を模式的に表す側面図である。  
なお、上記第１の実施形態と機能・構成上実質的に同じものについては、同符号を付し、詳細な説明は省略する。  
図１３に表したように、靴１０ａでは、靴本体１２及びオーバーシューズ２２が、静電気帯電防止性を有する。靴本体１２及びオーバーシューズ２２は、例えば、静電気の帯電を抑制するための導電性を有する。オーバーシューズ２２には、例えば、帯電防止シートや帯電防止フィルムなどが用いられる。なお、「静電気帯電防止性を有する」とは、例えば、ＪＩＳ規格やＩＥＣ規格などで定められた条件を満たしていることである。
【００５２】
このように、靴本体１２及びオーバーシューズ２２が、静電気帯電防止性を有することにより、例えば、爆発、火災、電撃のような事故及び災害の発生を抑制することができる。また、電子素子の破壊などの生産障害の抑制を図ることもできる。
【００５３】
図１４は、第２の実施形態に係る靴の変形例を模式的に表す側面図である。  
図１４に表したように、靴１０ｂは、バンド部５０と、コード５２と、をさらに備えている。
【００５４】
バンド部５０は、例えば、面ファスナーなどにより、靴本体１２を着用した人体の足首に着脱可能に取り付けられる。バンド部５０の少なくも一部は、導電性を有し、靴本体１２を着用した人体と電気的に接続される。バンド部５０は、例えば、内側の面に金属などからなる導電部５０ａを有し、足首に取り付けられた状態において、導電部５０ａを人体の皮膚に接触させることにより、人体との電気的な接続を得る。例えば、バンド部５０の全体を導電性の材料で形成することにより、足首に取り付けられた状態において、人体との電気的な接続を得られるようにしてもよい。
【００５５】
コード５２は、バンド部５０をオーバーシューズユニット１４に機械的に接続する。また、コード５２の少なくとも一部は、導電性を有し、バンド部５０とオーバーシューズ２２とを電気的に接続する。コード５２の一端は、バンド部５０に接続される。コード５２の一端は、例えば、バンド部５０の導電部５０ａと電気的に接続される。コード５２の他端は、例えば、収納部２０に接続される。コード５２の他端は、例えば、収納部２０を介してオーバーシューズ２２と電気的に接続される。コード５２は、例えば、オーバーシューズ２２に直接接続することにより、オーバーシューズ２２と電気的に接続してもよい。
【００５６】
このように、靴１０ｂでは、バンド部５０とコード５２とを設けることにより、人体とオーバーシューズ２２とをより適切に電気的に接続することができる。従って、人体に帯電した静電気をより適切に地面に逃がすことができる。静電気に起因する事故の発生などを、より適切に抑制することができる。
【００５７】
図１５は、第２の実施形態に係るオーバーシューズユニットの変形例を模式的に表す側面図である。  
図１５に表したように、オーバーシューズユニット１４ａは、オーバーシューズ２２と、バンド部５０と、コード５２と、を備えている。コード５２は、オーバーシューズ２２とバンド部５０とを機械的に接続するとともに、オーバーシューズ２２とバンド部５０とを電気的に接続する。
【００５８】
オーバーシューズユニット１４ａでは、収納部２０が省略されている。オーバーシューズユニット１４ａは、靴本体１２とは別に携帯される。このようなオーバーシューズユニット１４ａにおいて、静電気帯電防止性を有するオーバーシューズ２２にバンド部５０を接続することにより、人体に帯電した静電気をより適切に地面に逃がせるようにしてもよい。
【００５９】
なお、上記とは反対に、オーバーシューズ２２に絶縁性を持たせることにより、靴本体１２及びオーバーシューズ２２を耐電靴（絶縁靴）として用いれるようにしてもよい。例えば、靴本体１２に静電気帯電防止性を持たせ、オーバーシューズ２２に絶縁性を持たせることにより、入室する部屋などに応じて静電気帯電防止性と耐電性とを容易に切り替えられるようにしてもよい。靴本体１２に絶縁性を持たせ、オーバーシューズ２２に静電気帯電防止性を持たせてもよい。この場合には、オーバーシューズ２２をバンド部５０と電気的に接続することが好ましい。
【００６０】
（第３の実施形態）  
図１６は、第３の実施形態に係る靴を模式的に表す側面図である。  
図１６に表したように、靴１０ｃでは、オーバーシューズ２２が、防水性を有する。これにより、例えば、屋外から屋内に移動する際に、防水性を有するオーバーシューズ２２で靴本体１２の底部を覆うことで、靴本体１２に付着した水分によって屋内を濡らしてしまうことを抑制することができる。
【００６１】
また、例えば、上記とは反対に、屋外の移動において、防水性を有するオーバーシューズ２２で靴本体１２の底部を覆うことにより、水たまりなどでの靴本体１２の濡れや浸水を抑制することができる。このように、オーバーシューズ２２は、屋内での使用に限ることなく、屋外での靴本体１２の濡れの抑制などを目的として用いてもよい。
【００６２】
オーバーシューズ２２には、例えば、ビニールなどの樹脂材料が用いられる。これにより、オーバーシューズ２２に可撓性と防水性とを持たせることができる。
【００６３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６４】
１０、１０ａ〜１０ｃ…靴、  １２…靴本体、  １４、１４ａ…オーバーシューズユニット、  ２０…収納部、  ２０ａ…収納空間、  ２０ｂ…開口部、  ２２…オーバーシューズ、  ２４…開閉機構、  ３０、３１…取付部材、  ３２、３３…被取付部材、  ３５…取付部材、  ４０…本体部、  ４０ａ…挿通口、  ４２、４５、４６…弾性体、  ４４…被取付部材、  ５０…バンド部、  ５２…コード
【図１】
2019000293.tif 000003
【図２】
2019000293.tif 000004
【図３】
2019000293.tif 000005
【図４】
2019000293.tif 000006
【図５】
2019000293.tif 000007
【図６】
2019000293.tif 000008
【図７】
2019000293.tif 000009
【図８】
2019000293.tif 000010
【図９】
2019000293.tif 000011
【図１０】
2019000293.tif 000012
【図１１】
2019000293.tif 000013
【図１２】
2019000293.tif 000014
【図１３】
2019000293.tif 000015
【図１４】
2019000293.tif 000016
【図１５】
2019000293.tif 000017
【図１６】
2019000293.tif 000018